(57)【要約】【課題】壁部Ｗの表面に棚柱１２が取付固定された取付構造において、建物の美観を損なうことなく、棚柱１２の耐荷重性の向上及び機能性の向上を図る。【解決手段】棚柱１２の壁部取付構造では、予め壁部Ｗに取り付けられている取付部材Ｈにより棚柱１２が取り付けられている。取付部材Ｈは、予め壁部Ｗに挿入されて取付固定されかつ有底状のネジ穴２を有するインサート部材Ｉと、インサート部材Ｉのネジ穴２に螺合締結され、該インサート部材Ｉに一体に取付可能なボルト部材Ｂ又はフック部材Ａとを備える。棚柱１２は取付部材Ｈにより壁部Ｗ表面に取り付けられている。【選択図】図１
2020142065.tif 000002
【特許請求の範囲】
【請求項１】
建物の壁部に棚柱が、該壁部に予め取り付けられている取付部材により取付固定される棚柱取付構造であって、
前記取付部材は、
前記壁部に挿入されて取付固定され、有底状の穴部を有するインサート部材と、
前記インサート部材の穴部に係合されて、該インサート部材に一体に取付可能な締結部材とを備え、
前記締結部材は、前記インサート部材の穴部に係合されて該インサート部材に一体に取付可能な、フック部を有するフック部材と、該フック部材とは異なる別の代替締結部材との少なくとも一方からなり、
前記棚柱は、前記インサート部材及び締結部材により前記壁部に取り付けられていることを特徴とする棚柱取付構造。
【請求項２】
請求項１において、
インサート部材は複数で、該複数のインサート部材が建物の壁部に左右方向に並んで取付固定され、
前記複数のインサート部材に亘り左右方向に延びる上側横バーが各インサート部材に締結部材により取付固定され、
上側横バーに複数の上側内部チャンネルが左右方向に間隔をあけて固定されており、
複数の棚柱は後側に開放された構造で、前記上側内部チャンネルに前側から被さった状態で該上側内部チャンネルに固定され、かつ棚柱の下端部が建物の床面から離れていることを特徴とする棚柱取付構造。
【請求項３】
請求項２において、
複数の棚柱の下部に複数の下側内部チャンネルが棚柱を前側から被せた状態で固定され、
前記複数の下側内部チャンネルに亘り左右方向に延びる下側横バーが取付固定されていることを特徴とする棚柱取付構造。
【請求項４】
請求項２又は３において、
棚柱及び内部チャンネルの後端部にそれぞれ横バーを嵌合可能な切欠きが形成され、該切欠きに横バーが嵌合されることで、棚柱及び内部チャンネルの後端部が横バー後端部と面一になって壁部に接触していることを特徴とする棚柱取付構造。
【請求項５】
請求項２〜４のいずれか１つにおいて、
棚柱は左右の側壁部で内部チャンネルに固定されていることを特徴とする棚柱取付構造。
【請求項６】
請求項３〜５のいずれか１つにおいて、
下側横バーは上側横バーと同じ断面構造を有することを特徴とする棚柱取付構造。
【請求項７】
請求項３〜６のいずれか１つにおいて、
下側内部チャンネルは上側内部チャンネルと同じ部材であることを特徴とする棚柱取付構造。
【請求項８】
請求項１において、
前記棚柱には、前記締結部材が挿通される取付孔が形成されており、
前記棚柱は、前記締結部材と前記インサート部材との間に挟み込まれて取付固定されていることを特徴とする棚柱取付構造。
【請求項９】
請求項８において、
前記棚柱には、前記棚柱の長さを調節可能な調節部が設けられていることを特徴とする棚柱取付構造。
【請求項１０】
請求項８又は９において、
前記取付孔は、縦長形状に形成されていることを特徴とする棚柱取付構造。
【請求項１１】
請求項１、８、９又は１０において、
前記壁部に棚柱が取り付けられていない状態では、前記インサート部材にフック部材が係合されて、該インサート部材とフック部材とでハンガーフックが構成され、
壁部に棚柱が取り付けられた状態では、前記インサート部材からフック部材が取り外されかつ前記代替締結部材がフック部材と同じ係合構造で該フック部材に置き換えられて前記インサート部材に係合され、該締結部材により棚柱が壁部に取り付けられており、
前記棚柱には、前記インサート部材から取り外されたフック部材をインサート部材と同じ係合状態で係合して保管する保管用穴部が設けられていることを特徴とする棚柱取付構造。
【請求項１２】
請求項１〜１１のいずれか１つの棚柱取付構造により、建物の壁部に左右に並ぶように複数設置された前記棚柱と、
前記棚柱に係合された係合部材と、
隣り合う前記棚柱の間で前記係合部材により支持される対象物と、
を備えることを特徴とする棚柱利用システム。
【請求項１３】
請求項１２において、
前記対象物は、棚板、机の天板、収納ボックス、家電製品及びバックパネルの少なくともいずれか１つであることを特徴とする棚柱利用システム。
【発明の詳細な説明】
【技術分野】
【０００１】
本発明は、棚柱を建物の壁部に取り付ける棚柱取付構造及びそれを用いた棚柱利用システムに関する。
【背景技術】
【０００２】
建物の壁面を活用する技術として、例えば特許文献１には、マガジン収納領域を形成する線材フレーム取付用のパネルの裏面に面材側のフック片を、また壁面に壁面側フック片をそれぞれ固定し、上下の面材側及び壁面側のフック片同士の係合によってパネルを壁面に支持するようにした壁掛けタイプのマガジンラックが開示されている。
【０００３】
特許文献１のマガジンラックは、設置するためにネジ等で壁面に穴をあけることとなる。そのため、マガジンラックが一旦取り付けられると、それを取り外した後にも壁に穴があいたままとなり、取り外した後に建物の美観が損なわれてしまう。それを避けるには、壁面にあいた穴を元通りに埋める修復工事が必要となる。これは、賃貸住宅などのように利用者が変わることが想定されている場合、特に顕著な問題となる。
【０００４】
そこで、本出願人は、先に、特許文献２に示されるハンガーフックを出願している。このハンガーフックによると、予め壁面にインサート部材が埋め込まれているので、利用者は、そのインサート部材にフック部材を着脱するだけで済み、上記の諸問題を一挙に解決することができる。
【先行技術文献】
【特許文献】
【０００５】
【特許文献１】特開平１１−１５５６５８号公報
【特許文献２】特願２０１７−２５４５０８号明細書及び図面
【発明の概要】
【発明が解決しようとする課題】
【０００６】
ところで、近年、賃貸住宅では、その室内の壁面を活用する要望が多様化している。特に、室内に設置する収納棚や机などの家具は室内空間を狭くするため、壁面を有効活用することにより室内空間を広くしたいという要望がある。
【０００７】
そこで、壁面に直接棚柱を取り付けて、その棚柱に棚板や机の天板を設置するという方法が考えられる。しかし、その場合、棚柱を壁面にビス等で固定する一般的な固定方法では、壁面への棚柱の取付強度が低いと、棚柱に設置する棚板等への耐荷重は制限される。そのため、壁面に設置する棚柱には比較的軽量なものしか取り付けできないという制約を受けるので、棚柱の機能性は低いものとなる。また、棚柱の耐荷重を上げようとすると、棚柱を固定する壁面を補強する必要があり、棚柱を固定する部材の点数も多くなるため、建物の美観を損なうことになる。
【０００８】
本発明は、かかる点に鑑みてなされたものであり、その目的とするところは、壁面に設置する棚柱の取付構造に工夫を加えることにより、建物の美観を損なうことなく、棚柱の耐荷重性の向上及び該棚柱の機能性の向上を図ることにある。
【課題を解決するための手段】
【０００９】
上記目的を達成するために、本発明では、予め建物の室内壁に取り付けられている取付部材を活用し、その取付部材により、棚柱を壁部表面に取り付けることとした。
【００１０】
具体的には、第１の発明は、建物の壁部に棚柱が、該壁部に予め取り付けられている取付部材により取付固定される棚柱取付構造であって、前記取付部材は、前記壁部に挿入されて取付固定されかつ有底状の穴部を有するインサート部材と、前記インサート部材の穴部に係合されて、該インサート部材に一体に取付可能な締結部材とを備えている。また、前記締結部材は、前記インサート部材の穴部に係合されて該インサート部材に一体に取付可能な、フック部を有するフック部材と、該フック部材とは異なる別の代替締結部材との少なくとも一方からなり、前記棚柱は、前記インサート部材及び締結部材により前記室内壁に取り付けられていることを特徴とする。
【００１１】
第１の発明では、建物の壁部には、予め取付部材が取り付けられている。前記取付部材は、例えば、本願出願人が先に出願した特願２０１７−２５４５０８号明細書及び図面に開示されているハンガーフックであり、壁部に挿入されて取付固定されたインサート部材を備えている。このインサート部材は、例えば比較的寸法が大きく、予め建物の施工時に壁部において比較的強度の高い部位を選んで強固に取付固定されている。このことにより、前記棚柱は、このインサート部材と、インサート部材の穴部に係合されて該インサート部材に一体に取り付けられる前記締結部材とにより壁部に取り付けられるため、建物の壁部の補強を行うことなくかつ美観を損なわずに、前記棚柱の耐荷重性を向上させることができる。また、前記棚柱に多様な対象物を取り付けることができるため、棚柱の機能性を向上させることができる。
【００１２】
第２の発明は、第１の発明において、インサート部材は複数で、該複数のインサート部材が建物の壁部に左右方向に並んで取付固定されている。また、前記複数のインサート部材に亘り左右方向に延びる上側横バーが各インサート部材に締結部材により取付固定され、上側横バーに複数の上側内部チャンネルが左右方向に間隔をあけて固定されており、複数の棚柱は後側に開放された構造で、前記上側内部チャンネルに前側から被さった状態で該上側内部チャンネルに固定され、かつ棚柱の下端部が建物の床面から離れていることを特徴とする。
【００１３】
この第２の発明では、複数のインサート部材に亘り上側横バーが締結部材により固定され、その横バーに上側内部チャンネルが間隔をあけて固定され、この内部チャンネルに後側に開放された構造の棚柱が被さった状態で固定されている。このことで、棚柱の下端部が建物の床面から離れ、棚柱が壁部のみに支持されたフローティング構造であっても、棚柱の耐荷重性を維持しつつ、棚柱に多様な対象物を取り付けることができ、棚柱の機能性を向上させることができる。
【００１４】
また、インサート部材に上側横バーが固定されるが、棚柱は上側横バーに対し内部チャンネルによって取り付けられるので、その棚柱の取付位置はインサート部材の位置に限定されなくなり、その取付位置の自由度が高くなる。
【００１５】
第３の発明は、第２の発明において、複数の棚柱の下部に複数の下側内部チャンネルが棚柱を前側から被せた状態で固定され、前記複数の下側内部チャンネルに亘り左右方向に延びる下側横バーが取付固定されていることを特徴とする。
【００１６】
この第３の発明では、複数の棚柱の下部にそれぞれ下側内部チャンネルが固定され、それらの下側内部チャンネルに亘り下側横バーが取付固定されているので、複数の棚柱の下部同士が側横バーにより一体的に連結されることとなり、棚板下部が単独で左右方向に横揺れするのを抑制することができる。
【００１７】
第４の発明は、第２又は第３の発明において、棚柱及び内部チャンネルの後端部にそれぞれ横バーを嵌合可能な切欠きが形成され、該切欠きに横バーが嵌合されることで、棚柱及び内部チャンネルの後端部が横バー後端部と面一になって壁部に接触していることを特徴とする。
【００１８】
この第４の発明では、棚柱及び内部チャンネルの後端部の切欠きに横バーが嵌合され、棚柱及び内部チャンネルの後端部が横バー後端部と面一になって壁部に接触しているので、棚柱は壁面に安定して固定され、棚柱の耐荷重性が向上する。また、横バーがあっても、その前後厚さの分だけ棚柱が壁部から離れて浮き上がるように見えることはなく、外観見映えが良くなる。
【００１９】
また、棚柱及び内部チャンネルの後端部の切欠きに横バーが嵌合しているので、棚柱の横揺れにより、互いに交差する棚柱と横バーとの交差角度が変化しようとしても、その変化は生じ難くなり、棚柱が左右方向に横揺れするのを抑制することができる。
【００２０】
第５の発明は、第２〜第４の発明のいずれか１つにおいて、棚柱は左右の側壁部で内部チャンネルに固定されていることを特徴とする。このことで、棚柱の前面に固定具が露出せず、外観上の美観を良好にすることができる。
【００２１】
第６の発明は、第３〜第５の発明のいずれか１つにおいて、下側横バーは上側横バーと同じ断面構造を有することを特徴とする。
【００２２】
また、第７の発明は、第３〜第６の発明のいずれか１つにおいて、下側内部チャンネルは上側内部チャンネルと同じ部材であることを特徴とする。
【００２３】
これらの発明によると、上側及び下側横バーを互いに同じ断面構造のものとして、又は上側及び下側内部チャンネルを互いに同じ部材として用いることができ、棚柱取付構造に必要な部品点数の低減を図ることができる。
【００２４】
第８の発明は、第１の発明において、前記棚柱には、締結部材が挿通される取付孔が形成されており、棚柱は、前記締結部材と前記インサート部材との間に挟み込まれて取付固定されていることを特徴とする。
【００２５】
第８の発明では、棚柱がその取付孔とインサート部材の穴部とが一致するように配置された状態で、前記締結部材が棚柱側から取付孔に挿通されてインサート部材の穴部に締結される。そのため、前記棚柱は、締結部材とインサート部材との間に挟み込まれる。このことにより、棚柱は壁面に安定して固定されるため、棚柱の耐荷重性は向上する。また、前記棚柱に多様な対象物を取り付けることができるため、前記棚柱の機能性も向上する。
【００２６】
第９の発明は、第８の発明において、前記棚柱には、棚柱の長さを調節可能な調節部が設けられていることを特徴とする。
【００２７】
第９の発明では、前記棚柱が壁部に取付固定された状態で、前記調節部により前記棚柱の下端が例えば床面に接するように棚柱の長さが調節され、前記棚柱は、下端において床面上に載置されて支持される。このことにより、棚柱は下端部においても床面に支持されることになり、その耐荷重性はより一層向上する。また、前記棚柱に多様な物品を取り付けることができるため、前記棚柱の機能性も向上する。
【００２８】
第１０の発明は、第８又は第９の発明において、前記取付孔は、縦長形状に形成されていることを特徴とする。
【００２９】
第１０の発明では、前記取付孔は縦穴形状に形成されているため、前記棚柱は、壁面に対して取付位置を上下方向に調節できる。このことにより、ユーザの好みに応じて、設置する棚柱の高さを調節できる。
【００３０】
第１１の発明は、第１、第８、第９又は第１０の発明において、前記壁部に棚柱が取り付けられていない状態では、前記インサート部材に前記フック部材が係合されて、インサート部材とフック部材とでハンガーフックが構成され、壁部に棚柱が取り付けられた状態では、前記インサート部材からフック部材が取り外されかつ前記代替締結部材がフック部材と同じ係合構造で該フック部材に置き換えられて前記インサート部材に係合され、その締結部材により棚柱が壁部に取り付けられており、前記棚柱には、前記インサート部材から取り外されたフック部材をインサート部材と同じ係合状態で係合して保管する保管用穴部が設けられていることを特徴とする。
【００３１】
第１１の発明では、壁部に棚柱が取り付けられていない状態では、インサート部材に、フック部を有するフック部材が係合されてハンガーフックとなっており、このフック部材のフック部に物品等が吊り下げられる。そして、このハンガーフックを利用して棚柱が取付固定されるときには、インサート部材はそのままにしてインサート部材からフック部材が取り外され、フック部材とは異なる代替締結部材がフック部材と同じ係合構造でフック部材に置き換えられてインサート部材に係合され、この締結部材により棚柱が壁部に取り付けられる。また、インサート部材から取り外されたフック部材は、棚柱の保管用穴部にインサート部材と同じ係合状態で係合されて保管される。
【００３２】
このことで、既に壁部に取り付けられているハンガーフックを利用し、そのフック部材を別の代替締結部材に置き換えて棚柱を固定することができる。また、置き換えられたフック部材は棚柱の保管用穴部に係合状態で保管されるので、紛失し難くなる。そして、棚柱を取り外すときには、保管しているフック部材をインサート部材に係合して戻せばよく、元の状態への原状復帰が容易となる。
【００３３】
第１２の発明は棚柱利用システムに係り、この棚柱利用システムは、第１〜第１１の発明のいずれか１つの棚柱取付構造により、建物の壁部に左右に並ぶように複数設置された前記棚柱と、前記棚柱に係合された係合部材と、隣り合う前記棚柱の間で前記係合部材により支持される対象物と、を備えることを特徴とする。
【００３４】
第１２の発明では、第１〜第１１の発明の作用効果を奏する棚柱取付構造を利用した棚柱利用システムが得られる。具体的には、前記対象物の左右両側において、係合部材により該対象物は前記棚柱に支持される。すなわち、前記対象物は２本の前記棚柱によって支持されるため、建物の美観を損なうことなく棚柱利用システムの耐荷重性を向上させることができる。また、比較的重い物を前記対象物とすることができる。そのため、前記棚柱利用システムには多様な前記対象物を取り付けることができ、前記棚柱利用システムの性能は向上する。
【００３５】
第１３の発明は、第１２の発明において、前記対象物は、棚板、机の天板、収納ボックス、家電製品及びバックパネルの少なくともいずれか１つであることを特徴とする。
【００３６】
第１３の発明では、前記棚柱利用システムは高い耐荷重性を有するため、棚板、机の天板、収納ボックスを設置した場合でも、比較的重い物を収納することができる。また、家電製品のような比較的重い物も取り付けることができる。このことにより、前記棚柱利用システムの機能性は向上する。さらに、前記棚柱にバックパネルを取り付けることにより、隣り合う前記棚柱の間がバックパネルで連結され、前記棚柱利用システムの耐荷重性はさらに向上するとともに、棚柱利用システムを壁面に取り付けた状態において、建物の外観上の見映えも向上する。
【発明の効果】
【００３７】
以上に説明したように、本発明によれば、建物の美観を損なうことなく、壁面に取付固定される棚柱の耐荷重性の向上及び該棚柱の機能性の向上を図ることができる。
【図面の簡単な説明】
【００３８】
【図１】図１は、本発明の実施形態１に係る棚柱取付構造を示す側面図である。
【図２】図２は、図１のII−II線拡大断面図である。
【図３】図３は、図２のIII−III線断面図である。
【図４】図４は、棚柱下部の調節部を示す側面図である。
【図５】図５は、図４のＶ−Ｖ線拡大断面図である。
【図６】図６は、係合部材の棚柱への係合構造を示す分解斜視図である。
【図７】図７は、本発明の実施形態に係る棚柱利用システムの正面図である。
【図８】図８は、ハンガーフックとしての取付部材を分解して示す側面図である。
【図９】図９は、壁部に棚柱が取り付けられる前にハンガーフックが取り付けられている状態を示す斜視図である。
【図１０】図１０は、実施形態２に係る棚柱取付構造を示す図１相当図である。
【図１１】図１１は、実施形態３に係る棚柱取付構造を示す正面図である。
【図１２】図１２は、図１１のXII−XII線拡大断面図である。
【図１３】図１３は、図１１のXIII−XIII線拡大断面図である。
【図１４】図１４は、図１１のXIV−XIV線拡大断面図である。
【図１５】図１５は、実施形態３に係る棚柱を示し、図１５（ａ）は側面図、図１５（ｂ）は正面図、図１５（ｃ）は平面図である。
【図１６】図１６は、横バーを示し、図１６（ａ）は上側横バーの正面図、図１６（ｂ）は上側横バー（下側横バー）の側面図、図１６（ｃ）は下側横バーの正面図である。
【図１７】図１７は内部チャンネルを示し、図１７（ａ）は前側上方から見た斜視図、図１７（ｂ）は後側上方から見た斜視図である。
【発明を実施するための形態】
【００３９】
以下、本発明を実施するための形態を図面に基づいて説明する。以下の好ましい実施形態の説明は、本質的に例示に過ぎず、本発明、その適用物或いはその用途を制限することを意図するものではない。尚、以下の説明において、「上」、「下」、「左」、「右」、「前」及び「後」は、特に断りのない限り、図面に記載された方向を意味する。
【００４０】
（実施形態１）
＜棚柱取付構造＞
図１は本発明の実施形態１に係る棚柱取付構造を示し、Ｗは建物の室内の壁部、Ｆは壁部Ｗと直交する床部、Ｃは天井部である。棚柱１２は、壁部Ｗの表面（壁面）に沿って床部Ｆの表面（床面）と垂直になるように取り付けられている。棚柱１２は、上端部において取付部材Ｈにより壁部Ｗに取付固定され、下端部において調節部３０の脚部３１により床部Ｆ上に載置されて固定されている。
【００４１】
＜取付部材＞
図９に示すように、前記取付部材Ｈは複数設けられ、それらは、予め建物の壁部Ｗ表面の天井Ｃ寄りの同じ高さ位置に左右方向に例えば一定の等ピッチｐの間隔を空けて取り付けられている。取付部材Ｈは、インサート部材Ｉと、それに組み合わされるフック部材Ａ、及び該フック部材Ａとは異なる別の代替締結部材としてのボルト部材Ｂ（図２参照）とを備えている。インサート部材Ｉとフック部材Ａとを組み合わせた取付部材Ｈはハンガーフックであり、これは特願２０１７−２５４５０８号明細書及び図面に開示されたハンガーフックと同様の構造のものである。
【００４２】
前記ハンガーフックとして用いられる取付部材Ｈについて説明すると、図８に示すように、取付部材Ｈ（ハンガーフック）は、予め壁部Ｗに埋め込まれて取付固定されているインサート部材Ｉと、このインサート部材Ｉの後述するネジ穴２に螺合可能なフック部材Ａとを備えている。
【００４３】
インサート部材Ｉは、その先端側（図８の右側）の外周部に雄ネジ１が形成され、この雄ネジ部１が、予め壁部Ｗに穿設されている取付穴（図示せず）に対して螺合されることにより、その基端面３（基端部）のみが壁部Ｗの表面に露出した状態で壁部Ｗに埋め込まれて取付固定されている。インサート部材Ｉの基端側（図８の左側）の端面の中心部には、フック部材Ａ及びボルト部材Ｂと螺合可能な有底状の雌ネジ穴からなるネジ穴２（インサート係合穴部）がインサート部材Ｉと同心状に形成されている。２ａはネジ穴２の基端面３への開口端に形成された工具係合部で、この工具係合部２ａに図外の工具を係合した状態でインサート部材Ｉを回して壁部Ｗに埋め込むようにしている。このインサート部材Ｉの壁部Ｗへの埋込みは、例えば建物の室内の内装材が施工される際に同時に施工されているのが好ましい。
【００４４】
フック部材Ａは、その先端部に雄ネジ部５が、また基端側にフック部６が、さらに中間部に両者を連結する短い長さの円柱棒状の連結部７がそれぞれ互いに同心状に一体に形成されている。フック部６は、例えば円柱棒状のフック本体６ａの長さ方向両端部にそれぞれフック本体６ａよりも大径の円板状フランジ部６ｂ，６ｃが一体に形成されたものである。そして、通常の状態である初期状態では、取付部材Ｈはハンガーフックとして用いられ、そのときには、フック部材Ａの雄ネジ部５がインサート部材Ｉのネジ穴２に螺合締結されて、フック部材Ａがインサート部材Ｉに連結される。また、この初期状態では、図９に示すように、予め、フック部材Ａがインサート部材Ｉに螺合締結によってフック部６を壁部Ｗの表面から突出させて取付固定されている。その取付部材Ｈ（ハンガーフック）のフック部材Ａにおいて、フック本体６ａに物品Ｘ（図示例では服を掛けたハンガー）等が吊り掛けられて使用される。
【００４５】
本実施形態では、このようなハンガーフックとしての取付部材Ｈを用いて後述する棚柱１２を取付固定する場合に、インサート部材Ｉは壁埋込部材としてそのまま用いられているが、フック部材Ａはインサート部材Ｉから取り外されて、ボルト部材Ｂ（代替締結部材）に置き換えられている。そして、図示しないが、棚柱１２にはインサート部材Ｉのネジ穴２と同じネジ穴径を有する保管用ネジ穴（穴部）が形成されており、その保管用ネジ穴に、前記インサート部材Ｉから取り外されたフック部材Ａをインサート部材Ｉと同じ螺合状態で螺合締結して紛失しないように保管する。また、棚柱１２が不要になって元のハンガーフックの用途に戻す場合には、棚柱１２の取り外しの後に、棚柱１２の保管用ネジ穴に保管されているフック部材Ａを該保管用ネジ穴から取り外して元のインサート部材Ｉに螺合締結し、取付部材Ｈをハンガーフックとして通常の初期状態に戻して、その原状復帰が可能となっている。
【００４６】
尚、室内壁Ｗにおいてインサート部材Ｉ埋込用の取付穴を穿設する位置には、その内側に柱等の頑丈な部材が配置されていることが必要であり、インサート部材Ｉは、頑丈な部材にまで到達するように挿入される。これにより、そのインサート部材Ｉに螺合締結されて棚柱１２を固定支持するボルト部材Ｂは、頑丈な柱等に強固に支持された状態で壁部Ｗに取付固定される。
【００４７】
図２に示すように、ボルト部材Ｂは、前記のように、ハンガーフックとして用いられる連結部材Ｈのフック部材Ａとは別の部材であり、インサート部材Ｉのネジ穴２と螺合状態により係合可能な代替締結部材である。ボルト部材Ｂは、本実施形態では、ネジ穴２に螺合する軸部９（雄ネジ部）と、この軸部９に一体的に形成された頭部１０とを有する一般的なボルトからなり、軸部９のネジ径はフック部材Ａの雄ネジ部５（図８参照）と同じとなっている。このボルト部材Ｂは、軸部９のネジ穴２との螺合によってインサート部材Ｉと一体的に取り付できるようになっている。
【００４８】
頭部１０は、一般的なネジ頭と同様に、半球状に形成されている。頭部Ｂの表面には、プラスドライバーにより絞めたり緩めたりできるように十字型の十字溝部１１（工具係合部）が形成されている。ドライバー以外の工具を用いることもでき、その場合は当該工具に合わせた形状の工具係合部が形成される。
【００４９】
以上のようにして、インサート部材Ｉのネジ穴２にボルト部材Ｂの軸部９が螺合したときに、ボルト部材Ｂとインサート部材Ｉとが一体になり、取付部材Ｈが構成される。
【００５０】
＜棚柱＞
棚柱１２は、本体部２１とカバー部２６とを備え、略角筒状に形成されている。棚柱１２は、水平断面において一辺が例えば２３〜２５ｍｍとなるように形成されている。
【００５１】
−本体部−
本体部２１は、金属製の板材を断面が略コの字型になるように折り曲げられたもので、前側に開放されている。棚柱１２は、本体部２１による後壁部１２ａと、その後壁部１２ａから前側に互いに平行に延びる左右の側壁部１２ｂ，１２ｂとを有している。本体部２１の内側において、後壁部１２ａと側壁部１２ｂ，１２ｂとの各連続部分には、本体部の長さ方向に沿って延びる肉厚部２９，２９が設けられている。肉厚部２９，２９は本体部２１を補強する機能を備える。肉厚部２９，２９には、後側に向かって広がるように切り欠き部２９ａ，２９ａが形成されている。
【００５２】
棚柱１２の側壁部１２ｂ，１２ｂ（本体部２１）の前端部には、相対する側壁部１２ｂ，１２ｂに向かって段差状に折り曲げられた段差部２４，２４が形成されている。各段差部２４の外面には本体部２１の長さ方向に沿って延びる一条の凹溝部２５が形成されている。
【００５３】
図６に示すように、棚柱１２の側壁部１２ｂ，１２ｂの外面の幅方向の中央寄りには、断面が凹凸状に加工（以下、ローレット加工という）されたローレット部１５，１５が本体部２１の長さ方向全体に沿って延びるように形成されている。ローレット部１５，１５は、本体部２１傷隠しの機能を備え、かつ棚柱１２の意匠性を向上させる。
【００５４】
棚柱１２の側壁部１２ｂ，１２ｂには、複数の支持孔２３，２３，…（係合支持部）が一定の間隔をあけて貫通形成されている。支持孔２３は、棚柱１２に取付可能な対象物を支持する孔である。支持孔２３は、例えば１辺が１０ｍｍの正方形の矩形に形成されている。複数の支持孔２３，２３，…は、棚柱１２の側壁部１２ｂ，１２ｂにおいて、上下方向に例えば４０ｍｍのピッチで等間隔に並ぶように設けられている。
【００５５】
−カバー部−
図２、図５及び図６に示すように、前記本体部２１の前側開放部はカバー部２６によって閉じられている。カバー部２６は、本体部２１と同じ長さを有していて、本体部２１の内部を前側から覆うように取り付けられる、例えば樹脂製の板状部材である。
【００５６】
カバー部２６前面の幅方向の中央寄りには、ローレット加工されたローレット部１６がカバー部２６の長さ方向全体に沿って延びるように形成されている。ローレット部１６は、カバー部２６の傷隠しの効果を有し、かつ、棚柱１２の意匠性を向上させる。
【００５７】
カバー部２６の左右両端部には、後側に互いに左右に対向するように折り曲げられた折り曲げ部２７，２７が形成されている。折り曲げ部２７，２７の内面には、本体部２１の段差部２４の凹溝部２５に係止可能な係止突条部２８，２８が形成され、この係止突条部２８と凹溝部２５との係止によってカバー部２６が本体部２１に本体部２１の前側開放部を塞いだ状態で取り外し可能に係合固定されている。そして、このようにカバー部２６が本体部２１に固定された状態では、本体部２１の段差部２４，２４を除く側壁部１２，１２の外面とカバー部２６の折り曲げ部２７，２７の外面とが略面一となるようになっている。
【００５８】
棚柱１２は、その上端部において、前記取付部材Ｈ（ボルト部材Ｂ及びインサート部材Ｉ）により室内壁Ｗに取り付けられている。そのため、棚柱１２における本体部２１の後壁部１１の上端部には、ボルト部材Ｂの軸部９を挿通させる取付孔２２が貫通形成されている。取付孔２２は、図２及び図３に示すように、インサート部材Ｉのネジ穴２と合致した状態でボルト部材Ｂの軸部９が挿通される貫通孔である。取付孔２２は、棚柱１２の長さ方向に延びる縦長形状に形成されている。取付孔２２の左右方向の幅は、ボルト部材Ｂの頭部１０の直径よりも小さく、かつボルト部材Ｂの軸部９の直径よりも大きく形成され、例えば１０〜１５ｍｍとされている。
【００５９】
−調節部−
棚柱１２には、その長さを調節可能な調節部３０が設けられている。図４及び図５に示すように、調節部３０は、本体部２１にスライド移動可能に支持された脚部３１を有し、その脚部３１を本体部２１の下端から突出させ、かつ突出長さを変えることで、棚柱１２の長さを調節可能となっている。脚部３１は、棚柱１２が壁部Ｗに固定された状態で、下端部が床部Ｆ表面に当接して載置されるようになっており、その状態で棚柱１２を床部Ｆで支持するように構成されている。
【００６０】
脚部３１は、後側に開放された断面コの字型に形成され、棚柱１２の後壁部１２ａ及び側壁部１２ｂ，１２ｂの内部にスライド移動可能な程度の隙間を空けて嵌合されている。脚部３１は、棚柱１２が壁部Ｗに取り付けられた状態で、本体部２１の下端から床部Ｆ表面に接するまで延びる。脚部３１が本体部２１の下端から突出する長さ、つまり棚柱１２の調節可能な長さは、例えば１００〜１５０ｍｍである。脚部３１は、後側に開放された断面コの字形状のものであるので、本体部２１から突出した部分では前側が閉じられ、後側が開いている。
【００６１】
脚部３１の左右側壁部の外面には、互いに向かい合う位置に脚部３１の長さ方向に沿って延びる溝部３４が形成されている。溝部３４は凹溝である。
【００６２】
棚柱１２の本体部２１内には、後壁部１１及び左右の各側壁部１２と脚部３１との間にそれぞれゴム等の弾性部材３３，３３，…が本体部２１に固定された状態で介在されている。各弾性部材３３は、脚部３１と本体部２１との間、及びカバー部２６との間に設けられる。各弾性部材３３は、脚部３１が棚柱１２から自然落下しないように本体部２１とカバー部２６とに押圧状態で密着して落下抵抗を生じさせるように設けられている。特に、棚柱１２の後壁部１２ａと脚部３１との間に設けられている弾性部材３３の一部は、本体部２１の切り欠き部２９ａ，２９ａに嵌め込まれているため、脚部３１が棚柱１２からの自然落下を確実に防げるようになっている。
【００６３】
棚柱１２の本体部２１の左右の各側壁部１２にはネジ孔３５が、また側壁部１２内側の弾性部材３３にはネジ孔３５に一致するネジ挿通孔３７がそれぞれ貫通形成され、このネジ孔３５にはネジ挿通孔３７に挿通されるネジ部材３６が螺合されている。ネジ部材３６は、本体部２１から突出した脚部３１を本体部２１に固定するためのものである。ネジ部材３６の先端部は先細り形状になっており、ネジ部材３６をねじ込んでその先端を脚部３１の溝部３４に押し込ませることで、脚部３１を本体部２１に固定するように構成されている。
【００６４】
棚柱１２には係合部材４０が係合される。該係合部材４０には、棚柱１２の支持孔２３に支持される爪部４２が形成されている。前記係合部材４０は、棚柱１２に支持される各種の前記対象物に応じた構造を有するが、爪部４２は互いに同じである。前記対象物は、例えば図７に示すように、棚板５１、収納ボックス５２、バックパネル５３、テレビ５４等である。ここでは棚板５１を例に挙げて、前記係合部材４０と爪部４２について説明する。
【００６５】
図６に示すように、棚板５１のための前記係合部材４０は棚受け部材である。この棚受け部材としての係合部材４０は、断面がＬ字型に形成された金属の板材からなり、垂直面部４１と水平面部４３とを有する。垂直面部４１には、上下２つの爪部４２，４２が設けられている。各爪部４２は、棚柱１２の本体部２１の側壁部１２，１２における、例えば支持孔２３，２３のピッチと同じ間隔をあけて設けられている。
【００６６】
各爪部４２は、垂直面部４１の所定部位にコ字状のスリットをコ字の開口部分が上側に位置するように入れ、そのスリットの上端を基準に残りの部分を四角形に水平面部４３と反対側に向かうように水平に切り起こして、切り起こした部分を下側にフック状に折り曲げたものである。
【００６７】
そして、図６で矢印にて示すように、爪部４２，４２を支持孔２３，２３に水平方向から挿入した後に下に押し込むことで、爪部４２と垂直面部４１とで本体部２１の側壁部を挟むようにし、このことで係合部材４０（棚受け部材）が本体部２１に係合されて固定されるようになっている。従って、前記係合部材４０はこのような爪部４２を備えたものとなっている。尚、棚板５１用の棚受け部材である係合部材４０は、垂直面部４１と水平面部４３とが前側に棚板５１の前後幅よりも少し短い程度に延びている。係合部材４０は、その水平面部４３の上に棚板５１の左右端部を載置してビス止め等により固定するようになっている。水平面部４３には棚板５１を取付固定するビス孔４４，４４が形成されている。
【００６８】
＜棚柱の取付作業手順＞
次に、図３及び図４を参照しながら、予め壁部Ｗに取り付けられている取付部材Ｈのインサート部材Ｉにより棚柱１２を壁部Ｗに取り付ける作業手順を以下に説明する。
【００６９】
図９に示すように、壁部Ｗに埋め込まれているインサート部材Ｉにフック部材Ａが螺合締結されて取付部材Ｈがハンガーフックとして用いられている初期状態にある場合には、最初に、そのフック部材Ａをインサート部材Ｉから取り外して、基端面３に開口するネジ穴２を壁部Ｗ表面に露出させておく。その取り外したフック部材Ａは、棚柱１２の保管用ネジ穴に螺合締結することで保管しておく。また、インサート部材Ｉにボルト部材Ｂが取り付けられている場合には、インサート部材Ｉからボルト部材Ｂが取り外された状態にして、やはりネジ穴２を壁部Ｗ表面に露出させておく。
【００７０】
次に、棚柱１２からカバー部２６を外しておく。壁部Ｗ表面に露出したインサート部材Ｉの基端面３に、棚柱１２を後壁部１２ａ（本体部２１）の後面で接触させ、本体部２１上端の取付孔２２をインサート部材Ｉのネジ穴２に合致させる。尚、棚柱１２は脚部３１を本体部２１から突出させないか或いは突出長さを小さくしておいて、長さが短くなるようにしておく。この取付孔２２のネジ穴２との合致状態で、ボルト部材Ｂの軸部９を棚柱１２の取付孔２２に挿通させて、インサート部材Ｉのネジ穴２に螺合締結する。このとき、取付孔２２は縦長に形成されているため、本体部２１がインサート部材Ｉの基端面３へ接触する位置を変えることによって、棚柱１２の取付高さを調整することができる。
【００７１】
このようにしてボルト部材Ｂの軸部９がインサート部材Ｉのネジ穴２に螺合締結されると、棚柱１２の後壁部１２ａ（本体部２１）は、ボルト部材Ｂの頭部１０とインサート部材Ｉの基端面３とにより挟み込まれる。このことにより、本体部２１が壁部Ｗに安定して固定される状態となる。この状態で、カバー部２６を本体部２１に取り付ける。
【００７２】
次に、調節部３０の各ネジ部材３６を緩めて脚部３１をスライドできるようにし、本体部２１の下端から脚部３１を突出させて棚柱１２を伸張させる。脚部３１の下端が床部Ｆ表面に接したところで、ネジ部材３６を先端が脚部３１の溝部３４に嵌まるまでねじ込み、ネジ部材３６で脚部３１をスライド不能に固定する。
【００７３】
このようにして、脚部３１の下端が床部Ｆに接した状態で調節部３０により棚柱１２の長さが固定されるため、棚柱１２は下端部で床部Ｆにより安定して支持される状態となる。
【００７４】
＜棚柱利用システム＞
図７に示す通り、壁部Ｗには、例えば４本の棚柱１２，１２，…が壁部Ｗの左右方向に所定の間隔を空けて設置されている。各棚柱１２の上端部は、壁部Ｗに設けられた取付部材Ｈにより壁部Ｗに固定されている。一方、各棚柱１２の下端部は、脚部３１により床部Ｆ上に載置支持されている。尚、図７では、棚柱１２を取り付けるための４つの取付部材Ｈ，Ｈ，…は壁部Ｗに等ピッチの間隔を空けて配置されておらず、棚柱１２，１２，…の間隔も等間隔となっていない。
【００７５】
本実施形態に係る棚柱利用システム５０は、例えば４本の棚柱１２，１２，…、４枚の棚板５１，５１，…、３つの収納ボックス５２，５２，…、４つのバックパネル５３，５３，…及び一台のテレビ５４を備える。すなわち、隣り合う棚柱１２，１２の間で前記係合部材４０，４０，…により支持される対象物は、棚板５１、収納ボックス５２、バックパネル５３、テレビ５４である。
【００７６】
各棚板５１は、左右の両端部が棚柱１２に係合される棚受け部材としての係合部材４０に取り付けられる。具体的には、隣り合う棚柱１２，１２の同じ高さの位置に、左右対称構造の一対の係合部材４０，４０（棚受け部材）を水平面部４３，４３が向かい合うように爪部４２，４２（図６参照）により取り付ける。この状態で、一対の棚受け部材４０，４０の水平面部４３，４３上に棚板５１を両端部で載置する。各棚受け部材４０のビス孔４４，４４にビス（図示省略）を挿通して棚板５１に螺合締結することにより、棚板５１は棚受け部材４０，４０に固定される。
【００７７】
各収納ボックス５２、各バックパネル５３及びテレビ５４は、隣り合う一対の棚柱１２，１２の間にそれぞれ係合部材４０，４０，…により取り付けられている。
【００７８】
テレビ５４は中央にある一対の棚柱１２，１２の上下中段あたりに固定されている。テレビ５４の背面には、左右方向に水平に延びる上下２本の棒状の係合部材４０，４０（支持部材）が取付固定されている。各係合部材４０の左右両端には、爪部４２，４２（図６参照）が設けられていて、爪部４２，４２が棚柱１２の支持孔２３，２３，…に係合することによって係合部材４０は棚柱１２，１２に係合固定される。
【００７９】
尚、テレビ５４の配線（図示省略）は、支持孔２３を通って棚柱１２の内部を通すように配置されている。そのため、テレビ５４の配線は本体部２１に取り付けられたカバー部２６により外部から見えないようになっている。
【００８０】
棚板５１，５１，…及びバックパネル５３，５３，…はテレビ５４を挟んで左右それぞれにある一対の棚柱１２，１２の上段及び中段にそれぞれ１つずつ固定されている。
【００８１】
各バックパネル５３は、隣り合う棚柱１２，１２を連結する金属製の板状の補強部材である。バックパネル５３は矩形の板材５３ａを備え、板材５３ａには左右方向に水平に延びる上下２本の棒状の係合部材４０，４０（ジョイント部材）が固定されている。
【００８２】
各係合部材４０も両端に爪部４２，４２（図６参照）が設けられている。該爪部４２，４２が棚柱１２，１２の支持孔２３，２３に係合することにより、バックパネル５３は隣り合う２本の棚柱１２を補強するように係合固定される。
【００８３】
各収納ボックス５２はそれぞれ棚柱１２の下段に固定されている。収納ボックス５２の背面の左右両側には、爪部４２，４２を有する係合部材４０，４０（図７では省略。図６参照）が設けられている。該爪部４２，４２が棚柱１２，１２の支持孔２３，２３，…に係合することにより、各収納ボックス５２は隣り合う２本の棚柱１２の間で係合固定されている。
【００８４】
尚、前記棚板５１は物品の収納用途に限定されず、その他、例えば観葉植物を飾る棚として使用したり、猫用遊戯具として使用としたりすることもできるのは勿論である。
【００８５】
−実施形態の効果−
以上のように構成される実施形態では、棚柱１２が室内の壁部Ｗに、予め該壁部Ｗに取り付けられているインサート部材Ｉを含む取付部材Ｈにより取り付けられるため、耐荷重性が向上する。このことにより、棚柱１２に多様な物品を取り付けることができ、棚柱１２の機能性が向上する。また、棚柱１２は、取付部材Ｈにより壁部Ｗに固定され、調節部３０により床部Ｆ上に支持される。そのため、棚柱１２は建物の美観を損なわずに壁部Ｗに取り付けられる。さらに、棚柱１２は取付部材Ｈへの取付けにより壁部Ｗに固定できるため、棚柱１２の取付け及び取り外しの作業の安全性が向上する。以上により、美観を損なわずに、棚柱１２の耐荷重性と壁部Ｗへの取り受けの安全性を向上させ、かつ棚柱１２の機能性を向上させることができる。
【００８６】
棚柱１２の取付孔がインサート部材Ｉとボルト部材Ｂとの間に挟み込まれて取付固定されることにより、棚柱１２の壁部Ｗへの取付固定が確実になる。そのため、棚柱１２の耐荷重性はより一層向上する。
【００８７】
棚柱１２の長さを調節する調節部３０により、棚柱１２は床部Ｆからも支持される。そのため、棚柱１２の耐荷重性はより一層向上する。
【００８８】
棚柱１２の取付孔２２が縦長に形成されていることにより、棚柱１２の壁部Ｗへの取付高さを調整することができる。そのため、ユーザの好みに合わせて、設置する棚柱１２の高さを調節できる。
【００８９】
さらに、図８に示すように、インサート部材Ｉにフック部材Ａが螺合締結されて構成されるハンガーフックとしての取付部材Ｈを用いて棚柱１２を壁部Ｗに取り付ける場合、前記のように、その取付部材Ｈ（ハンガーフック）の初期状態でフック部材Ａが螺合締結されているインサート部材Ｉはそのままにして、インサート部材Ｉからフック部材Ａが取り外され、フック部材Ａとは異なるボルト部材Ｂ（代替締結部材）が、フック部材Ａと同じ螺合構造でフック部材Ａに置き換えられてインサート部材Ｉに螺合され、このボルト部材Ｂにより棚柱１２が壁部Ｗに取り付けられる。また、インサート部材Ｉから取り外されたフック部材Ａは、棚柱１２の保管用ネジ穴にインサート部材Ｉと同じ螺合状態で螺合されて保管される。
【００９０】
このことで、既に壁部Ｗに取り付けられているハンガーフックとしての取付部材Ｈを利用し、そのフック部材Ａを別のボルト部材Ｂに置き換えて棚柱１２を固定することができる。また、置き換えられたフック部材Ａは棚柱１２の保管用ネジ穴に螺合状態で保管されるので、紛失し難くなる。そして、棚柱１２を壁部Ｗから取り外すときには、その取り外しの後、保管しているフック部材Ａを棚柱１２の保管用ネジ穴から取り外して元のインサート部材Ｉに螺合し、ハンガーフックにすればよく、ハンガーフックの初期状態への原状復帰を容易に行うことができる。
【００９１】
また、以上のように構成される棚柱１２を利用した棚柱利用システム５０は、棚柱１２に取り付けられる対象物の左右両側において、前記係合部材４０により該対象物を棚柱１２に取り付けるように構成される。すなわち、棚柱利用システム５０は、対該象物を２本の棚柱１２により固定するように構成されるため、耐荷重性が向上する。また、棚柱利用システム５０は対象物を多様な物品とすることができるため機能性が向上する。
【００９２】
棚柱１２は本体部２１とカバー部２６とが分離する構成となっているため、棚柱利用システム５０に家電製品であるテレビ５４を取り付けた場合、テレビ５４の配線を棚柱１２の内部に収納することができる。そのため、外部から配線が見えることなくテレビ５４を取り付けることができるため、棚柱利用システム５０が建物の美観を損なうことはない。
【００９３】
棚柱利用システム５０に収納ボックス５２を取り付けた場合、床部Ｆから浮いた状態で棚柱１２に設置されるため、外観上の見映えが向上する。また、清掃時において、収納ボックス５２は床部Ｆから浮いているため清掃が容易になる。
【００９４】
棚柱利用システム５０にバックパネル５３を取り付けた場合、隣り合う２本の棚柱１２はバックパネル５３の各係合部材４０（ジョイント部材）により互いに強固に連結される。そのため、棚柱利用システム５０の耐荷重性は向上する。また、バックパネル５３により棚柱利用システム５０の外観上の見映えが向上する。
【００９５】
（実施形態２）
図１０は本発明の実施形態２を示す（尚、以下の実施形態では、図１〜図９と同じ部分については同じ符号を付してその詳細な説明は省略する）。
【００９６】
前記実施形態１では、棚柱１２の本体部２１上端が壁部Ｗに固定された状態で、脚部３１の下端部が床部Ｆ表面に当接して載置され、棚柱１２は上端部及び下端部の両方で支持されている。
【００９７】
これに対し、実施形態２では、実施形態１における調節部３０及び脚部３１が省略され、棚柱１２は本体部２１のみで構成されてその上下長さも短くなっており、このことで、棚柱１２（本体部２１）は下端が床部Ｆから離れて浮いたフローティング状態にあり、その上端部のみが取付部材Ｈ（ボルト部材Ｂ及びインサート部材Ｉ）で壁部Ｗに取り付けられて、その取付部材Ｈによって吊り下げられて支持されている。
【００９８】
図１０中、４７は棚柱１２下端部の後面に取り付けられた木材や樹脂、ゴム等からなるずれ・傷付き部材で、棚柱１２が上端の取付部材Ｈ回りに揺れて下端部が左右にずれるのを防ぎ、かつ下端部が左右方向又は前後方向に動いたときの壁部Ｗ表面に対する傷付きを防止するためのものである。その他の構成は、実施形態１と同じである。
【００９９】
この実施形態２でも実施形態１と同様の作用効果を奏することができる。特に、この実施形態の場合、棚柱１２の下端が床部Ｆから離れており、その下端部と床部Ｆとの間にスペースが形成されることになり、このスペースを物置等のスペースとして有効に活用することができる。また、棚柱１２下端が床部Ｆに当接している構造に比べたとき、床部Ｆの掃除の際に棚柱１２が邪魔にならず、掃除を容易にスムースに行うことができる利点がある。
【０１００】
尚、調節部３０及び脚部３１を残し、脚部３１の下端が床部Ｆに当接せずに離れるようにしてもよく、同様の作用効果が得られる。しかし、調節部３０及び脚部３１をなくした方が、構造が簡略となるので好ましい。
【０１０１】
（実施形態３）
図１１〜図１７は本発明の実施形態３を示し、実施形態２のように、棚柱１２を壁部Ｗにフローティング支持する構造において、その支持構造を変更したものである。
【０１０２】
この実施形態では、図１１に示すように、壁部Ｗに、取付部材Ｈを構成する例えば３つ（複数）のインサート部材Ｉ，Ｉ，…（図１２及び図１３に示す）が左右方向に等ピッチｐ（例えばｐ＝４５５ｍｍ）の間隔を空けて並んだ状態で取付固定されており（図９参照）、これらのインサート部材Ｉ，Ｉ，…により、例えば３つ（複数）の棚柱１２，１２，…が左右に並んだ状態で壁部Ｗに取り付けられている。
【０１０３】
具体的には、上記複数のインサート部材Ｉ，Ｉ，…には、それら複数のインサート部材Ｉ，Ｉ，…に亘り左右方向に延びる上側横バー６０がフック部材Ａ及びボルト部材Ｂにより取付固定されている。この上側横バー６０は、図１６（ａ），（ｂ）に示すように、インサート部材Ｉのピッチｐよりも長い所定の左右長さ（例えば１１２６ｍｍ）、上下幅（例えば４０ｍｍ）及び前後厚さ（例えば６．５ｍｍ）を有する例えばアルミニウムの押出成形材等からなる長尺のもので、幅方向の上下中央部が他の部分よりも厚い厚肉部とされ、上下端部が裏側（後側）に折り返されており、このことで上側横バー６０は断面略コ字状のものとされている。
【０１０４】
上側横バー６０において、その厚肉部には例えば５つ（２種類）の取付孔６１〜６３が上側横バー６０の長さ方向に間隔をあけて貫通形成されている。すなわち、上側横バー６０の長さ方向の中央位置に円形状の貫通孔からなる中央取付孔６１が、また長さ方向の両端位置に同様の端部取付孔６２，６２が、さらに中央取付孔６１から上記インサート部材Ｉのピッチｐだけ離れた左右の端部寄り位置に上側横バー６０の長さ方向に長い長孔貫通孔からなる端部寄り取付孔６３，６３がそれぞれ形成され、この端部寄り取付孔６３と端部取付孔６２とは一定距離（例えば９５ｍｍ）だけ離れている。そして、図１２に示すように、上側横バー６０の端部寄り取付孔６２にはフック部材Ａの雄ネジ部５が挿通され、この雄ネジ部５はインサート部材Ｉのネジ穴２に螺合されており、このことで上側横バー６０は左右の端部寄り位置でフック部材Ａにより壁部Ｗのインサート部材Ｉに取付固定されている。
【０１０５】
上側横バー６０において中央取付孔６１及び端部取付孔６２，６２の位置にはそれぞれ合計で３つ（複数）の上側内部チャンネル７０，７０，…が左右方向に間隔をあけて固定されている。３つの内部チャンネル７０，７０，…は互いに同じものであり、図１７に拡大して示すように、上下方向に延びる比較的短い長さの断面略矩形状の棒材からなり、この内部チャンネル７０に後述する後開放構造の棚柱１２が外嵌合状態で被さるようになっている（換言すれば、棚柱１２の内部に内部チャンネル７０が嵌合する）。
【０１０６】
各上側内部チャンネル７０の後面（裏面）には、その後面を部分的に矩形状に切り欠いてなる２つの切欠き７１，７１が上下方向（長さ方向）に互いに間隔をあけて形成され、この各切欠き７１の長さは上側横バー６０の幅よりも少し大きく、深さは上側横バー６０の厚さと略同じとなっており、各切欠き７１内に上側横バー６０が嵌合可能で、図１３及び図１４に示すように、その嵌合により上側内部チャンネル７０の後面（裏面）が上側横バー６０の後面と面一となって壁部Ｗの表面に当接するようにしている。
【０１０７】
上側内部チャンネル７０後面の各切欠き７１の底面において長さ方向の中央部には、内部チャンネル７０の前面（表面）まで貫通する貫通孔７２が形成されており、各切欠き７１内に上側横バー６０が嵌合されたときに貫通孔７２が上側横バー６０の対応する中央取付孔６１及び端部取付孔６２と一致するようになっている。この各貫通孔７２の内部チャンネル７０前面の開口部には、他の部分よりも大径でテーパ穴状又は段付き穴状の頭部収容部７２ａが形成され、この頭部収容部７２ａにボルト部材Ｂの頭部１０や後述のネジ部材７４の頭部７４ａを収容するようになっている。尚、２つの貫通孔７２，７２の頭部収容部７２ａ，７２ａが互いに異なっているのは、収容するボルト部材Ｂの頭部１０やネジ部材７４の頭部７４ａの形状が異なっているためである。
【０１０８】
また、各上側内部チャンネル７０の左右側面には、上側の切欠き７１よりも上側位置及び下側の切欠き７１よりも下側位置にそれぞれネジ穴７３，７３，…が左右方向に対応するように形成されている。左右に対応するネジ穴７３，７３は連通状態にあってもよい。
【０１０９】
そして、図１３の上部に示すように、上記上側横バー６０の中央取付孔６１の位置には上側内部チャンネル７０が取付固定されている。すなわち、上側内部チャンネル７０は図１７に示す状態を上下反転した姿勢にされ、その上側内部チャンネル７０の上側の切欠き７１が上側横バー６０に外嵌合され、その嵌合状態でボルト部材Ｂ（皿ネジ）が上側内部チャンネル７０の貫通孔７２及び上側横バー６０の中央取付孔６１に挿通され、ボルト部材Ｂの軸部９（雄ネジ部）はインサート部材Ｉのネジ穴２に螺合締結されている。このことで、上側横バー６０は左右中央位置で上側内部チャンネル７０と共にボルト部材Ｂにより壁部Ｗのインサート部材Ｉに取付固定されている。尚、ボルト部材Ｂは図２に示すものとは異なり、頭部１０が皿形状の皿ネジとなっており、その頭部１０は、図１７に示す状態を上下反転した姿勢の上側内部チャンネル７０における貫通孔７２の頭部収容部７２ａに上側内部チャンネル７０前面から突出しないように収容される。
【０１１０】
また、図１４の上部に示すように、上側横バー６０の各端部取付孔６２の位置にも上側内部チャンネル７０が取付固定されている。すなわち、この上側内部チャンネル７０は図１７に示す状態のままの姿勢にされ、上側内部チャンネル７０の上側の切欠き７１が上側横バー６０に外嵌合され、その嵌合状態で上側横バー６０の端部取付孔６２及び内部チャンネル７０の貫通孔７２に、雌ネジ穴（図示せず）が開口する筒部７５ｂ及び頭部７５ａを有する飾りナット７５が上側横バー６０の後側から筒部７５ｂの雌ネジ穴を前側に開口させた状態で嵌挿され、ネジ部材７４（スリムヘッドネジ）が上側内部チャンネル７０の貫通孔７２の前側から頭部７４ａを頭部収容部７２ａに収容した状態で挿通されて、飾りナット７５の雌ネジ穴に螺合締結されている。このことで、上側横バー６０の左右端部位置に上側内部チャンネル７０が取付固定されている。
【０１１１】
尚、前記のように、上側横バー６０の中央位置に取り付けられる上側内部チャンネル７０と、左右端部位置に取り付けられる上側内部チャンネル７０とは上下が反転している。これは、貫通孔７２に挿通されるボルト部材Ｂの頭部１０が異なるためである。また、上側内部チャンネル７０において、下側になる切欠き７１及び貫通孔７２は使用されず、空き構造となっている。
【０１１２】
本実施形態に係る各棚柱１２は、実施形態１及び２とは異なり、後側が開放されている。すなわち、図１５に示すように、棚柱１２は前壁部１２ｃ及び左右の側壁部１２ｂ，１２ｂを有し後側に開放された構造のもので、その左右の側壁部１２ｂ，１２ｂに複数の支持孔２３，２３，…（係合支持部）が一定の間隔をあけて貫通形成されている。また、棚柱１２の後端部の上端寄り部分及び下端寄り部分にはそれぞれ左右の側壁部１２ｂ，１２ｂを部分的に矩形状に切り欠いた切欠き１３，１３が形成され、この各切欠き１３の上下長さは上側横バー６０（後述する下側横バー６６）の上下幅よりも少し大きく、深さは上側横バー６０（下側横バー６６）の厚さと略同じとなっており、各切欠き１３内に上側横バー６０（下側横バー６６）が嵌合可能であり、その嵌合により棚柱１２の後端部が上側横バー６０（下側横バー６６）の後端部と面一となって壁部Ｗの表面に当接するようになっている。
【０１１３】
また、この各切欠き１３近くの棚柱１２の左右側壁部１２ｂ，１２ｂには、上下２つのネジ挿通孔１４，１４が貫通形成され、これらのネジ挿通孔１４，１４は、上側横バー６０に固定された上側内部チャンネル７０の上下のネジ穴７３，７３に対応している。そして、各棚柱１２はその上部が、上側横バー６０に取付固定されている上側内部チャンネル７０に前側から被さった状態で外嵌合され、棚柱１２上部の切欠き１３への上側横バー６０の嵌合により棚柱１２後端部が上側横バー６０後端部と面一になって壁部Ｗに接触し、棚柱固定用ネジ（図示せず）が棚柱１２の左右側壁部１２ｂ，１２ｂの外側からネジ挿通孔１４，１４に挿通されて内部チャンネル７０の上下ネジ穴７３，７３に螺合締結されている。このことにより、複数の棚柱１２，１２，…が上側内部チャンネル７０、従って該内部チャンネル７０が固定された上側横バー６０を介してインサート部材Ｉに固定されている。各棚柱１２の下端部は床部Ｆ上面から離れている。
【０１１４】
前記棚柱１２の複数の支持孔２３，２３，…、上下の切欠き１３，１３及びネジ挿通孔１４，１４，…は、棚柱１２の上下中央に対し対称に配置されており、棚柱１２は上下反転して使用できるようになっている。
【０１１５】
前記３つ（複数）の棚柱１２，１２，…の下部は左右方向に延びる下側横バー６６により連結されている。図１６（ｃ）に示すように、下側横バー６６は上側横バー６０（図１６（ａ）参照）と同じ長さ及び同じ断面構造を有する。そのため、下側横バー６６において、上側横バー６０と同じ部分は同じ符号を付してその詳細な説明は省略する。この下側横バー６６の長さ方向の中央位置に円形状の貫通孔からなる中央取付孔６１が、また長さ方向の両端位置に同様の端部寄り取付孔６２，６２がそれぞれ形成され、上側横バー６０のように端部寄り取付孔６３は形成されていない。
【０１１６】
また、３つの棚柱１２，１２，…の下部の同じ高さ位置にそれぞれ下側内部チャンネル７８が棚柱１２を前側から被せた状態で固定され、これらの下側内部チャンネル７８は下側横バー６６に連結されている。各下側内部チャンネル７８は上側内部チャンネル７０と同じ部材であり（同じ部分は同じ符号を付してその詳細な説明は省略する）、前記上側横バー６０の中間位置に取り付けられている上側内部チャンネル７０と同じ向き、従って上側横バー６０の左右端部位置に取り付けられている上側内部チャンネル７０と逆の向きに配置されている。
【０１１７】
下側横バー６６と各下側内部チャンネル７８との連結構造は、上側横バー６０の左右端部と上側内部チャンネル７０との連結構造と基本的に同じであり、用いられる切欠き７１及び貫通孔７２が異なるだけである。すなわち、図１３の下部及び図１４の下部に示すように、下側横バー６６の中央取付孔６１及び端部取付孔６２の位置には下側内部チャンネル７８の下側の切欠き７１が外嵌合され、その嵌合状態で下側横バー６６の各取付孔６１，６２及び内部チャンネル７８の貫通孔７２に飾りナット７５が下側横バー６６の後側から筒部７５ｂの雌ネジ穴を前側に開口させた状態で嵌挿され、ネジ部材７４（スリムヘッドネジ）が下側内部チャンネル７８の貫通孔７２の前側から頭部７４ａを頭部収容部７２ａに収容した状態で挿通されて、飾りナット７５の雌ネジ穴に螺合締結されており、このことで、下側横バー６６の左右中央位置及び端部位置に下側内部チャンネル７８，７８，…が取付固定されている。
【０１１８】
また、各棚柱１２はその下部が、下側横バー６６に取付固定されている各下側内部チャンネル７８に前側から被さった状態で外嵌合され、棚柱１２下部の切欠き１３への下側横バー６６の嵌合により棚柱１２後端部が下側横バー６６後端部と面一になって壁部Ｗに接触し、棚柱固定用ネジ（図示せず）が棚柱１２の左右側壁部１２ｂ，１２ｂの外側からネジ挿通孔１４，１４に挿通されて内部チャンネル７８の上下ネジ穴７３，７３に螺合締結されており、このことにより、複数の棚柱１２，１２，…が下側内部チャンネル７８、従って該内部チャンネル７８が固定された上側横バー６０に固定されている。
【０１１９】
尚、下側横バー６６に取り付けられる各下側内部チャンネル７８において、上側になる切欠き７１及び貫通孔７２は使用されず、空き構造となっている。また、図１１に仮想線にて示すように、３つの棚柱１２，１２，…の下部間に棚板５１が支持されている。この棚板５１の棚柱１２に対する支持構造は、実施形態１と同様に棚受け部材としての係合部材４０（図６参照）が用いられている。
【０１２０】
この実施形態３でも実施形態２と同様の作用効果が得られる。特に、この実施形態では、壁部Ｗに左右に並んだ３つ（複数）のインサート部材Ｉ，Ｉ，…に亘り上側横バー６０がフック部材Ａ及びボルト部材Ｂにより固定され、その上側横バー６０の左右中央部及び左右端部に上側内部チャンネル７０，７０，…が固定され、この各上側内部チャンネル７０に後側に開放された構造の棚柱１２の上部が被さった状態で固定されている。このことで、棚柱１２の下端部が建物の床部Ｆから離れ、棚柱１２が壁部Ｗのみに支持されたフローティング構造であっても、棚柱１２の耐荷重性を維持しつつ、棚柱１２に多様な対象物を取り付けることができ、棚柱１２の機能性を向上させることができる。
【０１２１】
また、インサート部材Ｉ，Ｉ，…に上側横バー６０が固定されるが、棚柱１２は上側横バー６０に対し上側内部チャンネル７０によって取り付けられるので、上側横バー６０に対する上側内部チャンネル７０の取付位置を変更することで、その棚柱１２の取付位置はインサート部材Ｉの埋込位置に限定されなくなり、その取付位置の自由度が高くなる。すなわち、仮に、棚柱１２をインサート部材Ｉの位置に取り付ける場合には、その棚柱１２の取付位置はインサート部材Ｉの位置となり、棚柱１２，１２の最小間隔がインサート部材Ｉのピッチｐになるが、図１１に示すように、上側横バー６０をインサート部材Ｉ，Ｉ，…に取り付け、その上側横バー６０に複数の棚柱１２，１２，…を固定するので、棚柱１２，１２の間隔はインサート部材Ｉのピッチｐ以外の間隔に変更することができる。
【０１２２】
さらに、３つ（複数）の棚柱１２，１２，…の下部にそれぞれ下側内部チャンネル７８，７８，…が固定され、それらの下側内部チャンネル７８，７８，…に亘り下側横バー６６が取付固定されているので、複数の棚柱１２，１２，…の下部同士が下側横バー６６により一体的に連結されることとなり、棚板１２の下部が単独で左右方向に横揺れするのを抑制することができる。
【０１２３】
また、棚柱１２の後端部の上下両側に上側及び下側横バー６０，６６を嵌合可能な切欠き１３，１３が、また上下の内部チャンネル７０，７８の後部にも同様の切欠き７１がそれぞれ形成され、両切欠き１３，７１に上側及び下側横バー６０，６６が嵌合されて、棚柱１２後端部が上側及び下側横バー６０，６６後端部と面一になって壁部Ｗに接触している。このことで、棚柱１２は壁部Ｗの表面に安定して固定され、棚柱１２の耐荷重性が向上する。また、上側及び下側横バー６０，６６があっても、その前後厚さの分だけ棚柱１２が壁部Ｗ表面から離れて浮き上がるように見えることはなく、外観見映えが良くなる。
【０１２４】
しかも、棚柱１２及び内部チャンネル７０，７８の後端部の切欠き１３，７１に上側及び下側横バー６０，６６が嵌合している構造であると、棚柱１２の横揺れにより、互いに交差する棚柱１２と横バー６０，６６との交差角度が変化しようとしても、その変化は生じ難くなり、棚柱１２が左右方向に横揺れするのを抑制することができる。
【０１２５】
各棚柱１２は左右の側壁部１２ｂ，１２ｂで棚柱固定用ネジにより内部チャンネル７０，７８に固定されているので、棚柱１２の前面に棚柱固定用ネジが露出せず、外観上の美観を良好にすることができる。
【０１２６】
加えて、下側横バー６６は上側横バー６０と同じ断面構造を有し、下側内部チャンネル７８は上側内部チャンネル７０と同じ部材である。このことで、上側及び下側横バー６０，６６を互いに同じ断面構造のものとし、上側及び下側内部チャンネル７０，７８を互いに同じ部材として用いることができ、棚柱１２の壁部取付構造に必要な部品点数の低減を図ることができる。
【０１２７】
この実施形態３において、上側及び下側横バー６０，６６や上側及び下側内部チャンネル７０，７８の構造は前記のものに限定されない。棚柱１２の数は２本又は４本以上に変更することができる。
【０１２８】
（その他の実施形態）
前記実施形態１，２においては、インサート部材Ｉのネジ穴２に螺合締結されるものをボルト部材Ｂとしているが、ハンガーフックとしての取付部材のフック部材Ａをそのまま用いてもよい。こうしてフック部材Ａにより棚柱１２を固定するときにも、フック部材Ａの雄ネジ部５がインサート部材Ｉのネジ穴２に螺合締結されてフック部材Ａがインサート部材Ｉに連結され、棚柱１２の取付孔２２に連結部７を挿通させた状態で、フック部６の雄ネジ部５側にあるフランジ部６ｃとインサート部材Ｉの基端面３との間に棚柱１２における本体部２１の後壁部１２ａが挟み込まれて固定される。
【０１２９】
こうすると、壁部Ｗに棚柱１２を取り付けていない通常の状態において、該フック部材Ａをインサート部材Ｉに螺合締結してハンガーフックとして利用できる。棚柱１２が必要なときには、一旦フック部材Ａをインサート部材Ｉから取り外し、そのフック部材Ａの雄ネジ部５を連結部７と共に棚柱１２の取付孔２２に挿通させてインサート部材Ｉに螺合締結し、フランジ部６ｃとインサート部材Ｉの基端面３との間に棚柱１２における本体部２１の後壁部１２ａを挟み込んで固定すればよく、このことで実施形態のようにボルト部材Ｂを別途用いることなく、フック部材Ａをそのまま利用して棚柱１２を取付固定することができる。
【０１３０】
前記実施形態において、棚柱１２の本体部２１の各側壁部１２ｂにローレット部１５が、またカバー部２６にローレット部１６が形成されているが、これに限定されない。すなわち、棚柱１２の本体部２１及びカバー部２６はローレット加工されていないものであってもよく、例えば鏡面加工されているものであってもよい。
【０１３１】
前記実施形態において、前記棚柱利用システム５０に設置される対象物としての電化製品をテレビ５４としたが、これに限定されない。前記棚柱１２に取付固定できるものであればよく、例えばオーディオセットなども上げられる。
【０１３２】
前記実施形態において、前記棚柱利用システム５０に設置される前記対象物を机の天板とすることもできる。
【産業上の利用可能性】
【０１３３】
本発明は、建物の美観を損なうことなく、壁部に取付固定された棚柱の耐荷重性を向上させ、多様な物品を収納できるため、産業上の利用可能性が高い。
【符号の説明】
【０１３４】
Ｗ  壁部
Ｆ  床部
ｐ  ピッチ
Ｈ  取付部材
Ｉ  インサート部材
１  雄ネジ部
２  ネジ穴
Ａ  フック部材（締結部材）
５  雄ネジ部
６  フック部
６ａ  フック本体
６ｂ，６ｃ  フランジ部
Ｂ  ボルト部材（締結部材、代替締結部材）
９  軸部（雄ネジ部）
１０  頭部
１２  棚柱
１２ｂ  側壁部
１３  切欠き
１４  ネジ挿通孔
２３  支持孔（係合支持部）
２６  カバー部
３０  調節部
３１  脚部
４０  係合部材
４２  爪部
４７  ずれ・傷付き部材
５１  棚板（対象物）
５２  収納ボックス（対象物）
５３  バックパネル（対象物）
５４  テレビ（対象物）
６０  上側横バー
６１  中央取付孔
６２  端部取付孔
６３  端部寄り取付孔
６６  下側横バー
７０  上側内部チャンネル
７１  切欠き
７２  貫通孔
７３  ネジ穴
７４  ネジ部材
７５  飾りナット
７８  下側内部チャンネル
【図１】
2020142065.tif 000003
【図２】
2020142065.tif 000004
【図３】
2020142065.tif 000005
【図４】
2020142065.tif 000006
【図５】
2020142065.tif 000007
【図６】
2020142065.tif 000008
【図７】
2020142065.tif 000009
【図８】
2020142065.tif 000010
【図９】
2020142065.tif 000011
【図１０】
2020142065.tif 000012
【図１１】
2020142065.tif 000013
【図１２】
2020142065.tif 000014
【図１３】
2020142065.tif 000015
【図１４】
2020142065.tif 000016
【図１５】
2020142065.tif 000017
【図１６】
2020142065.tif 000018
【図１７】
2020142065.tif 000019